(57)【要約】  車両１の前端からエアクリーナボックス１０までの吸気通路を途中で分離して、エアクリーナボックス１０への直接的な異物混入や吸気騒音の発生を低減する吸気構造において、エアクリーナボックス１０の上面１０ａは、前傾形状のエンジンフード７の内面と略平行に対向するような前傾形状とされる。車両１の前端に吸気口を有するエアガイド１２は、その排出口がエアクリーナボックス１０の上面１０ａの手前に配置される。エアクリーナボックス１０の前傾形状の上面１０ａと、エンジンフード７の前傾形状のフードインナー７ａとは、略平行に所定の空間１３を介して対向されている。対向空間１３の鉛直方向に沿う間隔は、エアガイド１２の排出口の鉛直方向に沿う間隔と略同じに設定されている。このような構成により、比較的低温で異物混入が極力少ない外気を効率良くエンジン３に供給可能になる。
2010004889.tif 000002
【特許請求の範囲】
【請求項１】
車両前部のエンジンコンパートメント内において前傾形状のエンジンフード寄りに配置されるエアクリーナボックスと、
吸入口が車両前端に前向きに開放するように配置されかつ排出口が前記エアクリーナボックスの上面手前に後向きに開放するように配置されるエアガイドと、
吸入口が前記エアクリーナボックスの上面上で前記エアガイドの排出口近傍に離隔配置されかつ下流側が前記エアクリーナボックスに連結されるエアインテークとを有し、
前記エアクリーナボックスの上面は、前記エンジンフードの内面と略平行に対向するような前傾形状とされ、
前記エアクリーナボックスの前傾形状の上面とエンジンフードの内面との対向空間の鉛直方向に沿う間隔は、前記エアガイドの排出口の鉛直方向に沿う間隔と略同じに設定される、ことを特徴とする車両の吸気構造。
【請求項２】
車両前部のエンジンコンパートメント内において前傾形状のエンジンフード寄りに配置されるエアクリーナボックスと、
吸入口が車両前端に前向きに開放するように配置されかつ排出口が前記エアクリーナボックスの上面手前に後向きに開放するように配置されるエアガイドと、
吸入口が前記エアクリーナボックスの上面上で前記エアガイドの排出口近傍に離隔配置されかつ下流側が前記エアクリーナボックスに連結されるエアインテークとを有し、
前記エアクリーナボックスの上面は、前記エンジンフードの内面と略平行に対向するような前傾形状とされ、
前記エアガイドから放出される外気の流線に対して前記エアインテークの外気吸入方向が交差するように設定され、
前記エアガイドの下壁の排出口側に、前記エアクリーナボックスにおいて前向きの面からの離隔距離を大きくするための切り欠きが設けられている、ことを特徴とする車両の吸気構造。
【請求項３】
請求項２に記載の車両の吸気構造において、
前記エアクリーナボックスの前傾形状の上面とエンジンフードの内面との対向空間の鉛直方向に沿う間隔は、前記エアガイドの排出口の鉛直方向に沿う間隔と略同じに設定される、ことを特徴とする車両の吸気構造。
【請求項４】
請求項２または３に記載の車両の吸気構造において、
前記エアインテークの吸入口は、前記エアガイドから放出される外気流の進行領域の近傍に配置される、ことを特徴とする車両の吸気構造。
【請求項５】
請求項２から４のいずれか一つに記載の車両の吸気構造において、
前記エアガイドの排出口とエアインテークの吸入口との離隔空間の下方には、前記エンジンやそれに付設される部品から発する熱気の上昇を遮る遮蔽部材が設けられる、ことを特徴とする車両の吸気構造。
【請求項６】
請求項２から５のいずれか一つに記載の車両の吸気構造において、
当該吸気構造を平面的に見て、前記エアインテークの吸入口の開口端縁が、前記エアガイドにおけるエアインテーク寄りの壁面の延長線上に配置される状態をオフセットゼロとし、また、前記開口端縁が前記延長線の手前側へ離される状態をプラスオフセットとし、さらに、前記開口端縁が前記延長線を越えてエアガイドの中心側へ近づけられる状態をマイナスオフセットとすると、
前記オフセットが、−３０ｍｍ〜５０ｍｍの範囲内で設定される、ことを特徴とする車両の吸気構造。
【発明の詳細な説明】
【技術分野】
【０００１】
本発明は、自動車等の車両のエンジンに外気を導入するための吸気構造に関する。
【背景技術】
【０００２】
車両のエンジンに外気を供給するために、車両前端に吸気ダクトの吸入口を配置して、この吸入口に走行風を流入させるようにし、この吸気ダクトに流入した外気を当該吸気ダクトの排出口に連結されるエアクリーナに直接的に導入させるようにしている（例えば特許文献１，２参照。）。【０００３】
このような吸気ダクトを用いる構造の場合、吸気ダクトに水、雪あるいは塵埃などの異物が入ると、この異物がエアクリーナ内に直接的に導入されることになり、好ましくない。【０００４】
特許文献１では、吸気ダクトの吸入口にシールボードを配置し、吸気ダクトに前記のような異物が流入しようとしたときに、シールボードに衝突させることで下に落として、外気のみを吸気ダクトに流入させようとする構造になっている。【０００５】
この従来例の場合、シールボードと呼ばれる部品が必要であり、また、吸気効率が低下することが懸念される。【０００６】
また、特許文献２では、吸気ダクトを９０度屈曲させ、吸気ダクトの吸入口を車両側面に向くようにし、前記異物の流入を防止しようとする構造になっている。この場合、吸気ダクトの吸入口より後方に、吸気偏向部材を配置し、この吸気偏向部材で走行風を方向転換させて吸気ダクトの吸入口に向かわせるようにすることで、吸気効率を高めるようにしている。【０００７】
この従来例の場合、吸気偏向部材と呼ばれる部品が必要であり、また、吸気偏向部材に水、雪あるいは塵埃など異物が衝突すると、この異物が反射されて吸気ダクトの吸入口に入ってエアクリーナへ直接的に送られることがありうる。【０００８】
このように、車両前端で開口する吸気ダクトをエアクリーナに直接連結する構造の場合、異物混入を低減するための部品が余分に必要になる他、吸気通路内を通過する外気によって吸気騒音が発生することがある。【０００９】
これに対し、前記吸気ダクトを、その外気通過方向の途中で分離させることにより、エアクリーナへの直接的な異物流入を防止しようとする構造が考えられている（例えば特許文献３参照。）。【００１０】
この特許文献３では、走行風を車両前端からエンジンコンパートメント内に導く第１吸気ダクトと、この第１吸気ダクトと別体でかつエンジンコンパートメント内のエアクリーナに連結される第２、第３吸気ダクトとを用いている。【００１１】
第１吸気ダクト１０の第１開口１０2（排出口）からの放出外気の流線（図２中のａ参照）は、車両の前後方向に沿わされており、第２吸気ダクト１１の姿勢は、車両の左右方向（第１吸気ダクト１０からの放出外気の流線ａに対して略直交する方向）に沿わされている。【００１２】
なお、第３吸気ダクト１２は、第２吸気ダクト１１をエアクリーナ１３に連結させるための中継部品であって、この第３吸気ダクト１２と第２吸気ダクト１１とは、連結されていて、連続する一つの吸気通路を形成している。【００１３】
このように、第１吸気ダクト１０の第１開口１０2と第２吸気ダクト１１の第２開口１１1とを離隔していても、第１吸気ダクト１０の第１開口１０2から放出される外気は、エンジン内で発生する負圧によって第２吸気ダクト１１の第２開口１１1から吸入されるようになる。
【先行技術文献】
【特許文献】
【００１４】
【特許文献１】実開平５−３４０１９号公報
【特許文献２】特開平２００６−１５９４９号公報
【特許文献３】特許第３６７６５６６号公報
【発明の概要】
【発明が解決しようとする課題】
【００１５】
上記特許文献３に係る従来例では、当該特許文献３の段落番号００２０〜００２１や図２に示されているように、平面的に見た状態で、第１吸気ダクト１０の第１開口１０2の延長上に、第２吸気ダクト１１の第２開口１１1を配置したうえで、第１吸気ダクト１０の第１開口１０2の方向（図２中のａ参照）と第２吸気ダクト１１の第２開口１１1の方向（図２中のｂ参照）とで成す角度（図２中のα参照）を、９０°より大きく１８０°より小さく設定するようにしている。【００１６】
このような特定構成を採用することによって、第２吸気ダクト１１に外気を吸入させやすくしたうえで、吸入外気に含まれる塵や水が第２吸気ダクト１１に吸い込まれないようにすることを狙っている。【００１７】
しかしながら、特許文献３に係る従来例では、当該特許文献３の図１や図４に示されているように、第２吸気ダクト１１の第２開口１１1が、第１吸気ダクト１０の第１開口１０2より鉛直方向の僅かに下に配置されていて、かつ、第１吸気ダクト１０の第１開口１０2が第２吸気ダクト１１の第２開口１１1に向くように下向きとされているために、側方から見たときに、第１吸気ダクト１０における通過外気の流線（特許文献３の図３中のＬを参照）上に第２吸気ダクト１１の第２開口１１1の中心が略一致するようになっている。【００１８】
しかも、特許文献３に係る従来例では、当該特許文献３の段落番号００１９や図３に示されているように、第１吸気ダクト１０の第１開口１０2の近傍に、騒音発生防止用の開口（図３中の１０8参照）を設けていること、ならびに第１吸気ダクト１０の第１開口１０2から放出される外気でエンジンの補機類の冷却を促進させるようにしていることによって、第１吸気ダクト１０の第１開口１０2から放出される外気が広域に拡散されて流速が遅くなることが容易に推定される。【００１９】
これらのことと、前記の角度特定構成とを併せて考えた場合、仮に、第１吸気ダクト１０から比較的多量の水や雪が入るようなことがあると、それらが第２吸気ダクト１１に直線的に入る可能性が極めて高いと言わざるを得ない。【００２０】
このような事情に鑑み、本発明は、車両前端からエアクリーナボックスまでの吸気通路を途中で分離して、エアクリーナボックスへの直接的な異物流入や吸気騒音の発生を低減する吸気構造を前提とし、前記従来例の課題を解消することを目的としている。
【課題を解決するための手段】
【００２１】
本発明に係る車両の吸気構造は、車両前部のエンジンコンパートメント内において前傾形状のエンジンフード寄りに配置されるエアクリーナボックスと、吸入口が車両前端に前向きに開放するように配置されかつ排出口が前記エアクリーナボックスの上面手前に後向きに開放するように配置されるエアガイドと、吸入口が前記エアクリーナボックスの上面上で前記エアガイドの排出口近傍に離隔配置されかつ下流側が前記エアクリーナボックスに連結されるエアインテークとを有し、前記エアクリーナボックスの上面は、前記エンジンフードの内面と略平行に対向するような前傾形状とされ、前記エアクリーナボックスの前傾形状の上面とエンジンフードの内面との対向空間の鉛直方向に沿う間隔は、前記エアガイドの排出口の鉛直方向に沿う間隔と略同じに設定される、ことを特徴としている。【００２２】
本発明は、要するに、車両前端からエアクリーナボックスまでの吸気通路として、別体であるエアガイドとエアインテークとを用いることによって、前記吸気通路を途中で分離する形態の吸気構造を前提としているから、エアクリーナボックスへの直接的な異物（水、雪、塵埃等）混入や吸気騒音の発生を低減することが可能になっている。【００２３】
このような前提において前記の特徴を有する構成にすれば、エアガイドの排出口から放出される外気が、エアクリーナボックスの前傾形状の上面とエンジンフードの内面との対向空間を通って車両後方へ流れるようになるが、この対向空間を通る走行風は、エンジンで発生する負圧によってエアインテークの吸入口から吸引されて、エアクリーナボックスに取り込まれる。【００２４】
そして、本発明では、エアガイドの排出口を、エアクリーナボックスの前傾形状の上面とエンジンフードの内面との対向空間に、あたかも直線的に連通させるようにしていて、特許文献３に係る従来例のように、第１吸気ダクト（エアガイドに相当）の排出口を大空間に開放するような形態にしていない。【００２５】
このような本発明の構成では、エアガイドの排出口から放出される外気が、前記対向空間を通過するときに流速が遅くならずに維持されやすくなるので、特許文献３に係る従来例のように、第１吸気ダクト（エアガイドに相当）から放出される外気がその近傍に滞留するということが起きにくくなる。ここで、仮に、エアガイドから放出される外気の流線に対してエアインテークの外気吸入方向を交差させるようにエアガイドとエアインテークとの配置関係を特定していれば、前記理由によりエアガイドから放出される外気に含まれる異物がエアインテークの吸入口から速やかに遠ざけられるように送出されるので、当該外気に含まれる異物がエアインテークに吸入されにくくなる。【００２６】
これにより、エアクリーナボックスへの異物吸入を可及的に回避しながら、比較的低温の外気を効率よく導入することが可能になるので、エンジンの出力向上ならびにフィルタの長寿命化を図るうえで有利となる。しかも、エアガイドから放出される外気を方向転換させて異物を除去する必要がないので、前記方向転換用の部品が不要である。【００２７】
本発明に係る車両の吸気構造は、車両前部のエンジンコンパートメント内において前傾形状のエンジンフード寄りに配置されるエアクリーナボックスと、吸入口が車両前端に前向きに開放するように配置されかつ排出口が前記エアクリーナボックスの上面手前に後向きに開放するように配置されるエアガイドと、吸入口が前記エアクリーナボックスの上面上で前記エアガイドの排出口近傍に離隔配置されかつ下流側が前記エアクリーナボックスに連結されるエアインテークとを有し、前記エアクリーナボックスの上面は、前記エンジンフードの内面と略平行に対向するような前傾形状とされ、前記エアガイドから放出される外気の流線に対して前記エアインテークの外気吸入方向が交差するように設定され、前記エアガイドの下壁の排出口側に、前記エアクリーナボックスにおいて前向きの面からの離隔距離を大きくするための切り欠きが設けられている、ことを特徴としている。【００２８】
本発明は、要するに、車両前端からエアクリーナボックスまでの吸気通路として、別体であるエアガイドとエアインテークとを用いることによって、前記吸気通路を途中で分離する形態の吸気構造を前提としているから、エアクリーナボックスへの直接的な異物（水、雪、塵埃等）混入や吸気騒音の発生を低減することが可能になっている。【００２９】
このような前提において前記の特徴を有する構成にすれば、エアガイドの排出口から放出される外気が、エアクリーナボックスの前傾形状の上面とエンジンフードの内面との対向空間を通って車両後方へ流れるようになるが、この対向空間を通る走行風は、エンジンで発生する負圧によってエアインテークの吸入口から吸引されて、エアクリーナボックスに取り込まれる。【００３０】
ここで、例えば前記エアガイドの吸入口に、水、雪あるいは塵埃が流入したとしても、エアガイドの排出口から放出される水の大半は、エアガイドの切り欠きを通じてエアクリーナボックスの前面に衝突することになって、下へ落とされることになる。その他、外気に混入する小粒の水、雪あるいは塵埃がエアガイドの排出口から放出されて、エアクリーナボックスの上面とエンジンフードの内面との対向空間に入ると、この対向空間からは、空気よりも比重の重い異物が外気よりも速く後方へに吹き飛ばされることになるので、この異物がエアインテークの吸入口から吸引されずに済む。【００３１】
というのは、本発明では、エアガイドの排出口を、エアクリーナボックスの前傾形状の上面とエンジンフードの内面との対向空間に、あたかも直線的に連通させるようにしていて、特許文献３に係る従来例のように、第１吸気ダクト（エアガイドに相当）の排出口を大空間に開放するような形態にしていない。【００３２】
そのために、本発明の構成では、エアガイドの排出口から放出される外気が、前記対向空間を通過するときに流速が遅くならずに維持されやすいので、特許文献３に係る従来例のように、第１吸気ダクト（エアガイドに相当）から放出される外気の流速が遅くなって広域に拡散されるようなことがない。この結果、エアガイドから放出される外気がエアインテークの吸入口から吸引されるようになるものの、空気よりも比重の重い異物は吸引されにくくなるのである。【００３３】
しかも、エアガイドから放出される外気の流線に対してエアインテークの外気吸入方向を交差させるように特定しているから、エアガイドから放出される外気に含まれる異物がエアインテークの吸入口に入りにくくなる。【００３４】
これらのことにより、エアクリーナボックスへの異物吸入を可及的に回避しながら、比較的低温の外気を効率よく導入することが可能になるので、エンジンの出力向上ならびにフィルタの長寿命化を図るうえで有利となる。しかも、エアガイドから放出される外気を方向転換させて異物を除去する必要がないので、前記方向転換用の部品が不要である。【００３５】
好ましくは、前記エアクリーナボックスの前傾形状の上面とエンジンフードの内面との対向空間の鉛直方向に沿う間隔は、前記エアガイドの排出口の鉛直方向に沿う間隔と略同じに設定される。【００３６】
この構成によれば、前記エアガイドの排出口から放出される走行風の流速が前記対向空間で維持することが可能になるので、エアインテークの吸入口近傍から水、雪あるいは塵埃等の異物を速やかに送出させることが可能になる。【００３７】
好ましくは、前記エアインテークの吸入口は、前記エアガイドから放出される外気流の進行領域の近傍に配置される。なお、外気流の進行領域とは、エアガイドから放出される外気流の束のことである。【００３８】
この構成によれば、例えばエアガイドに水、雪あるいは塵埃等の異物が流入したとしても、このエアガイドの排出口から放出される異物がエアインテークの吸入口の内面に直接当接して、エアインテークの吸入口内へ入り込むといったことが発生しにくくなる。【００３９】
好ましくは、前記エアガイドの排出口とエアインテークの吸入口との離隔空間の下方には、前記エンジンやそれに付設される部品から発する熱気の上昇を遮る遮蔽部材が設けられる。【００４０】
この構成によれば、エアインテークの吸入口から外気を吸入する際に、前記熱気が巻き込まれて吸入されることが回避されるようになる。【００４１】
好ましくは、前記吸気構造を平面的に見て、前記エアインテークの吸入口の開口端縁が、前記エアガイドにおけるエアインテーク寄りの壁面の延長線上に配置される状態をオフセットゼロとし、また、前記開口端縁が前記延長線の手前側へ離される状態をプラスオフセットとし、さらに、前記開口端縁が前記延長線を越えてエアガイドの中心側へ近づけられる状態をマイナスオフセットとすると、前記オフセットが、−３０ｍｍ〜５０ｍｍの範囲内で設定される。【００４２】
ここで、マイナスオフセットを増やし過ぎると、エアガイドから放出される外気がエアインテークの吸入口寄りの側面に衝突して渦流を発生する傾向となり、エアインテーク内に前述の異物が吸入されやすくなることが懸念される。一方、プラスオフセットを増やし過ぎると、エアガイドから放出される外気が広がる傾向となり、エアインテーク内に前述の異物が吸入されやすくなる他、エアインテークにエンジンコンパートメント内の熱気が吸入されやすくなり、エアクリーナボックス内への吸気温度が高くなりやすくなることが懸念される。【００４３】
これらのことを考慮して、エアインテークとエアガイドとの適切な相対位置関係の範囲を前記のように特定している。
【発明の効果】
【００４４】
本発明は、車両前端からエアクリーナボックスまでの吸気通路を途中で分離して、エアクリーナボックスへの直接的な異物流入や吸気騒音の発生を低減する車両の吸気構造において、比較的低温で異物混入が極力少ない外気を効率よくエンジンに供給することが可能になる。これにより、エンジンの出力向上ならびに、エアクリーナボックス内に設置されるフィルタの長寿命化等に貢献できる。
【図面の簡単な説明】
【００４５】
【図１】本発明に係る車両前部のエンジンコンパートメント内に配置される吸気構造の一実施形態を側方から見た側面図である。
【図２】図１の車両前部のエンジンコンパートメント内を上から見た平面図である。
【図３】図１および図２の吸気構造を前から見た前面図である。
【図４】図１から図３の吸気構造のみを示した斜視図である。
【図５】図１の吸気構造における外気の流通経路を示す説明図である。
【図６】図２の吸気構造における外気の流通経路を示す説明図である。
【図７】図１の吸気構造を前から見た前面図で、走行風の流れを示している。
【図８】図１の実施形態において、エアインテークとエアガイドとの相対位置関係を示す図である。
【図９】図１の実施形態において、オフセットの量に対するエアインテークの雪の吸い込み量を示すグラフである。
【図１０】図１の実施形態において、オフセットの量に対するエアクリーナボックス入口の吸気温度の上昇傾向を示すグラフである。
【図１１】本発明の他の実施形態に係り、図６においてエアインテークの姿勢を変更した例を示す図である。
【図１２】本発明の他の実施形態に係り、図６においてエアガイドの姿勢を変更した例を示す図である。
【図１３】本発明の他の実施形態に係り、図１においてエアガイドをエアクリーナボックスから離した例を示す図である。
【図１４】図１３に示す実施形態に係り、図６においてエアガイドをエアクリーナボックスから離した例を示す図である。
【発明を実施するための形態】
【００４６】
以下、本発明を実施するための最良の形態について添付図面を参照して詳細に説明する。
【００４７】
図１から図６に本発明の一実施形態が示されている。まず、図１から図４を参照して、本発明の一実施形態に係る車両の吸気構造の概略構成を説明する。
【００４８】
これらの図に示す車両１は、その前部に設けられるエンジンコンパートメント（エンジンルームとも言う）２内に、エンジン３が搭載されるフロントエンジンマウントタイプとされている。
【００４９】
車両１のエンジンコンパートメント２において、エンジン３の前側には、ラジエータ４およびエアコン用のコンデンサ５が配置されている。このラジエータ４の後方には、電動式ファン６が設けられている。この電動ファン６は、ラジエータ４およびエアコン用のコンデンサ５の前方から後方へ外気を通過させるとともにエンジン３へ風を吹き付けるものである。
【００５０】
エンジンコンパートメント２の上側開口は、エンジンフード７によって閉塞される。このエンジンフード７の内面には、フードインナー７ａが設けられている。一般的に、エンジンフード７は、その先端がフロントバンパー８の前面に連続するように前傾形状に形成されていて、フロントバンパー８には、コンデンサ５、ラジエータ４、冷却風を導入する開口部９が設けられている。コンデンサ５、ラジエータ４は、上下のラジエータサポート４Ａ，４Ｂに取り付けられている。
【００５１】
ところで、エンジン３には、一般的に、エアクリーナボックス１０内に収納されるエアフィルタ（またはエアクリーナエレメント、図示省略）で濾過された外気が図示していないサージタンクやインテークマニホールド等を介して導入されるようになっている。
【００５２】
この実施形態では、例えば車両１の走行時において、エアクリーナボックス１０に対して、比較的低温の走行風を効率よく導入できるようにしたうえで、水、雪や塵埃等の異物を流入させないようにするために、以下のような吸気構造を採用している。
【００５３】
つまり、エンジンコンパートメント２内に配置されているエアクリーナボックス１０には、外気を吸入するためのエアインテーク１１が設けられており、このエアインテーク１１の吸入口に、車両１の前端から比較的低温の走行風を導入するために、エアガイド１２が設けられている。
【００５４】
これらエアクリーナボックス１０、エアインテーク１１ならびにエアガイド１２のレイアウトや形状を工夫しているので、以下で詳細に説明する。
【００５５】
まず、前記三者１０，１１，１２の相対位置関係を簡単に説明する。エアクリーナボックス１０は、エンジン３とラジエータ４との間の領域の上方で前傾形状のエンジンフード７寄りに配置されている。このエアクリーナボックス１０の上に、エアインテーク１１が配置されており、このエアインテーク１１より車両１の前端に、エアガイド１２が配置されている。エアインテーク１１の吸入口とエアガイド１２の排出口とは、離隔配置されている。
【００５６】
このようなラジエータ４、エアコン用のコンデンサ５、電動ファン６の配置状態だと、停車時に、ラジエータ４、エアコン用のコンデンサ５ならびにエンジン３から発生する熱気が逆流して、コンデンサ５の前に流れるおそれがある。そこで、上側のラジエータサポート４Ａとバンパー８との間に、熱気の遮蔽部材としてのデフレクタ１５を設けることによって、エンジンコンパートメント２とコンデンサ５の前の空間とを仕切るようにしている。また、デフレクタ１５や上側のラジエータサポート４Ａによって、ラジエータ４やコンデンサ５から発生する熱気がエアインテーク１１側へ上昇することを遮ることが可能になる。
【００５７】
また、電動ファン６からエンジン３に吹き付けた風は、エンジン３の熱を奪って高温となり、エンジン３の上方へ上昇する。この上昇温風をエアインテーク１１に流入させないようにするために、エアクリーナボックス１０の後方側には、遮風部材１６が設けられている。この遮風部材１６は、仮にエンジン３と干渉したとしても、破損しにくいように、例えばゴム等の弾性部材で形成するのが好ましい。
【００５８】
次に、上記三者の形状や相対位置関係について詳しく説明する。
【００５９】
エアインテーク１１は、Ｕ字形に屈曲されており、その折り返し部分よりも上流側領域１１ａが、前記のエアクリーナボックス１０の上面１０ａ上に搭載されており、また、下流側がエアクリーナボックス１０の下側空間に連結されている。
【００６０】
このエアインテーク１１は、その外気の流線Ｘが、図２に示すように、車両１の左右方向に沿うように配置されている。
【００６１】
このようなエアインテーク１１の場合、その吸入口から吸入した外気は、図４に示すように、例えば車両１の左右方向外側へ流れてから鉛直方向下側に向かい、さらに車両１の左右方向内側へ方向転換されてエアクリーナボックス１０の下側空間へ流入されるようになっている。このエアクリーナボックス１０の下側空間に流入された外気は、図示していないエアフィルタを通過することにより濾過されてから、エアクリーナボックス１０の上側空間に抜けてエンジン３の吸気系に導入されるようになっている。
【００６２】
エアガイド１２は、図１に示すように、側方から見て略「く」の字形状に屈曲されている。このエアガイド１２の上流側約半分の前半領域１２ａは、デフレクタ１５より鉛直方向下側に配置されており、また、エアガイド１２の下流側約半分の後半領域１２ｂは、デフレクタ１５の鉛直方向上側に配置されている。
【００６３】
このエアガイド１２の前半領域１２ａの開口端つまり吸入口は、フロントバンパー８の開口部９に開放するように配置されている。
【００６４】
なお、エアガイド１２の吸入口は、車両１の前端におけるスタグネーションポイントに配置するのが好ましく、そのようにすれば、車両１の走行中においてエアガイド１２の吸入口に走行風を効率よく流入させることが可能になる。
【００６５】
また、エアガイド１２の後半領域１２ｂは、車両１の後方へ向かって斜め上向きに傾斜した姿勢とされている。このエアガイド１２の後半領域１２ｂの開口端つまり排出口は、後向きに開放されており、この排出口の後方に、前記のエアクリーナボックス１０が配置されていて、エアガイド１２の排出口とエアインテーク１１の吸入口とは、適宜離隔されている。
【００６６】
このようなエアガイド１２は、その外気の流線Ｙが車両１の左右方向の中心Ｐ（図２および図６に記載）に対して平面視で僅かに斜めに配置されている。このような配置によって、エアガイド１２における外気の流線Ｙと、エアインテーク１１における外気吸入方向Ｘとが、図２および図６に示すように上から見たときに、略直交するようになっている。具体的に、前記Ｙに対するＸの交差角度β（図６参照）は、鈍角、つまり９０°＜β＜１８０°に設定される。
【００６７】
なお、前記エアインテーク１１における外気吸入方向Ｘとは、少なくともエアインテーク１１の吸入口の中心部分から吸入される外気の流れの方向のことであり、また、前記エアガイド１２における外気の流線Ｙとは、少なくともエアガイド１２の排出口から放出される外気の流線のことである。つまり、この実施形態のように、エアインテーク１１およびエアガイド１２の形状を上から見て直線形状にしている場合には、エアガイド１２内を流れる外気の流線やエアインテーク１１内を流れる外気の流線が上から見ると直線になる。そのため、前記交差角度βは、エアガイド１２内における外気の流線に対するエアインテーク１１内における外気の流線の交差角度と言い換えることもできる。また、エアインテーク１１およびエアガイド１２の形状は、上から見て適宜に曲がった形状にすることも可能である。そのようにした場合、エアガイド１２内やエアインテーク１１内を流れる外気の流線については、適宜に曲がるものの、エアガイド１２から放出される外気の流線Ｙやエアインテーク１１の外気吸入方向Ｘは直線形状となる。
【００６８】
上述したエアインテーク１１およびエアガイド１２は、共に、鉛直方向に扁平に形成されることによって、径方向の断面が横長の楕円形または長方形の筒とされており、エアインテーク１１の吸入口とエアガイド１２の排出口とにおける鉛直方向の間隔は、略同じに設定されている。
【００６９】
この実施形態では、エアインテーク１１の吸入口が、外気を吸入しやすいように、外向きに漸次拡径するような漏斗形状とされている。
【００７０】
エアガイド１２の通路断面積は、吸入口側から排出口側へ向けて例えば略一定に設定されている。これにより、エアガイド１２の吸入口から走行風が入ると、この走行風の流速の低下が抑えられることになって排出口から勢いよく放出されるようになる。
【００７１】
そして、エアクリーナボックス１０の上面１０ａと、エアガイド１２の後半領域１２ｂとは、エンジンフード７のフードインナー７ａの傾斜角度と略同一の角度で傾斜されている。つまり、エアクリーナボックス１０の上面１０ａは、車両１の前方へ向かって斜降されることで、前傾形状とされている。エアガイド１２の後半領域１２ｂは、車両１の後方へ向かって斜め上向きに傾斜されている。
【００７２】
しかも、図１および図５に示すように側方から見たときに、エアガイド１２の後半領域１２ｂの下壁１２ｃと、エアクリーナボックス１０の上面１０ａとが、略一直線上か、上面１０ａが僅かに下に位置されていて、エアガイド１２における外気の流線Ｙ上に、エアクリーナボックス１０上に配置されるエアインテーク１１における外気の流線Ｘが配置されている。
【００７３】
これにより、図１に示すように、エアガイド１２の後半領域１２ｂの下壁１２ｃよりもエアクリーナボックス１０の上面１０ａおよびエアインテーク１１の吸入口が鉛直方向で高い位置に配置されるようになる。
【００７４】
そして、エアクリーナボックス１０の前傾形状の上面１０ａと、エンジンフード７の前傾形状のフードインナー７ａとは、略平行に所定の空間１３を介して対向されている。この対向空間１３の鉛直方向に沿う間隔は、エアガイド１２の排出口の鉛直方向に沿う間隔と略同じか、僅かに大きい寸法に設定されている。
【００７５】
このように設定すれば、エアガイド１２から対向空間１３へ外気が放出されると、当該外気の流速を維持するか、低下を抑えることが可能になって、特許文献３に係る従来例のようにエアガイド１２から放出された後において外気が広域に拡散されることを防止するのに役立つ。なお、エアガイド１２の後半領域１２ｂの上面やエアインテーク１１の上面も、フードインナー７ａに対して干渉しない程度の隙間を介して対向されている。
【００７６】
さらに、エアインテーク１１の吸入口の開口端縁は、図２および図６に示すように上から見たときに、エアガイド１２から放出される外気流の進行領域Ｗの近傍に配置されている。特に、この実施形態では、図６に示すように、エアインテーク１１の吸入口の開口端縁を、前記外気流の進行領域Ｗにおける車両外側の外郭線Ｌに重ねるように配置している。なお、外気流の進行領域Ｗとは、エアガイド１２から放出される外気流の束のことである。他の言い方としては、エアインテーク１１の吸入口の開口端縁を、図２および図６に示すように上から見たときに、エアガイド１２においてエアインテーク１１寄りの壁面の延長線（Ｌに相当）上に配置している。
【００７７】
この他、エアガイド１２の後半領域１２ｂの下壁１２ｃにおいて排出口側には、エアクリーナボックス１０の前面１０ｂからの離隔距離を大きくするための切り欠き１２ｄが設けられている。このような切り欠き１２ｄを設けることによって、エアクリーナボックス１０の前面１０ｂの前方に、水切り空間１４（図１および図５に記載）が確保されることになる。
【００７８】
以上のように、エアインテーク１１の吸入口とエアガイド１２の排出口とを離隔して配置している形態では、車両１が停止しているときに、エンジン３の吸気系に発生する負圧によってエアインテーク１１の吸入口から、その周辺の空気が吸入される。
【００７９】
その一方で、車両１が走行しているときには、エアガイド１２の吸入口に走行風が流入し、このエアガイド１２から放出される外気が、エアインテーク１１の吸入口に吸入される。その様子について、図４から図６を参照して説明する。
【００８０】
つまり、車両１の走行中は、図５および図６の矢印で示すように、車両１の前端のフロントバンパー８に走行風が衝突することによって、走行風が上下左右に分流されるようになる。この走行風は、フロントバンパー８の開口部９からエアガイド１２の吸入口に流入するようになる。
【００８１】
このエアガイド１２に入った走行風は、エアガイド１２により流速が維持されて排出口から排出される。この放出された外気は、エアクリーナボックス１０の上面１０ａとエンジンフード７のフードインナー７ａとの対向空間１３を介して車両後方へ流されるようになる。この対向空間１３を流れる過程で、エンジン３の吸気系に発生する負圧によってエアインテーク１１の吸入口から外気が吸入されることになる。
【００８２】
ここで、例えばエアガイド１２の吸入口に水、雪あるいは塵埃等の異物が流入した場合、このような異物も外気と共にエアガイド１２の排出口から対向空間１３を経て車両後方へ放出されることになるが、エアインテーク１１の吸入口をエアガイド１２からの外気流の進行領域Ｗに突入させていないので、エアインテーク１１の吸入口には前記異物が直接入り込まなくなるとともに、エンジン３内で発生する負圧によっても吸入されずに済む。
【００８３】
その理由としては、まず、水の塊や大粒水は、図５に示すように、エアガイド１２の排出口から放出された後、エアクリーナボックス１０の前面１０ｂに衝突することになって、水切り空間１４へ落とされる。
【００８４】
また、エアクリーナボックス１０の上面１０ａとフードインナー７ａとの対向空間１３によってそこを通過する外気の流速を維持するか、あるいは低下を抑えることを可能にしていて、特許文献３に係る従来例のように、第１吸気ダクト（エアガイド１２に相当）から放出される外気の流速が遅くなって広域に拡散されるようなことがないから、エアガイド１２の排出口から、空気よりも比重の重い小粒の水、雪あるいは塵埃等の異物が放出されたときには、エアクリーナボックス１０の上面１０ａに沿って車両後方へ吹き飛ばされることになって、エアインテーク１１の吸入口に吸入されなくなるのである。
【００８５】
このように、エアインテーク１１からエアクリーナボックス１０へは、水、雪あるいは塵埃等の異物が混入していない比較的低温の外気を効率よく導入させることが可能になる。それにより、エンジン３の出力向上が可能になる他、エアクリーナボックス１０内に設置されるエアフィルタ（図示省略）の目詰まりやダメージを回避することが可能になる等、濾過機能を長期にわたって維持するうえで有利になる。
【００８６】
また、エアガイド１２から放出されてエアインテーク１１で吸入されずに車両後方へ向かう外気は、エンジン３から上昇した熱気をエンジンコンパートメント２の外部へ排出させる送風としても役立つので、エンジン３の放熱作用向上に貢献できる。
【００８７】
以上説明したように、本発明の特徴を適用した実施形態では、要するに、エアインテーク１１とエアガイド１２とを分離して、エアクリーナボックス１０への直接的な異物混入を低減するとともに、吸気の低周波領域での共鳴を防止する構成において、エアクリーナボックス１０、エアインテーク１１ならびにエアガイド１２のレイアウトや形状を工夫しているから、比較的低温で異物混入が極力少ない外気を効率よくエンジン３に供給することが可能になる。これにより、エンジン３の出力向上ならびに、エアクリーナボックス１０内に設置されるエアフィルタの長寿命化等に貢献できる。
【００８８】
ところで、上記実施形態では、エアガイド１２における外気の流線Ｙを車両１の左右方向の中心Ｐに対して斜めに傾けるようにしているが、その場合の優位性について説明する。
【００８９】
つまり、車両１の外表面を流れる走行風つまり外気の流れは、例えば図７の太線矢印で示すように、車両１の左右方向の中心Ｐにおいて車両１の前方から後方へ向けてまっすぐに流れるが、中心Ｐよりも両側においては車両１の左右方向中心側から斜め外側（両側）へ向けて流れることになる。
【００９０】
図８に示すように、前記走行風の流れに対し、エアガイド１２における外気の流線Ｙを略一致させるように、この流線Ｙを車両１の左右方向の中心Ｐに対して斜めに傾ければ、エアガイド１２に流入した外気がエアガイド１２により大きく屈曲されずに済む。そのために、エアガイド１２内での外気の流通抵抗が小さくなるので、エアガイド１２から放出される外気の流速が低下しにくくなる。
【００９１】
このエアガイド１２の設置角度θは、走行風の流れの形態に応じて異なると考えられるが、参考までに、車両１の左右方向中心Ｐに対する前記流線Ｙの傾き角度θは、例えば０度〜４０度、好ましくは５度〜３５度とすることができる。
【００９２】
また、上記実施形態では、エアインテーク１１をエアガイド１２よりも車両１の左右方向一側にずらして配置したうえで、エアインテーク１１の吸入口を車両１の左右方向の中心Ｐへ向けて開口させるようにしている。このようにした場合、エンジン３等から発生する熱気をエアインテーク１１が吸入しにくくなってエアインテーク１１から外気を吸入しやすくなる。このような点でも、エアインテーク１１からエアクリーナボックス１０に比較的低温の外気を効率よく吸入させるとともに、空気よりも比重の重い小粒の水、雪あるいは塵埃等の異物を吸入しにくくさせるうえで有利となる。
【００９３】
参考までに、上記実施形態の比較例として、例えば従来例の項目で提示した特許第３６７６５６６号公報に示されているように、第２吸気ダクト（エアインテーク１１に相当）を第１吸気ダクト（エアガイド１２に相当）よりも車両の左右方向中心寄りに偏らせて配置し、第２吸気ダクトの吸入口を車両一側へ向けて開口させるようにしたものがある。
【００９４】
この比較例の場合、第１吸気ダクトに吸入された外気が２度屈曲されるようになっている関係より、外気の流通抵抗が大きくなることが懸念される他、第１吸気ダクトの排出口より第２吸気ダクトを車両の左右方向中心寄りに配置している関係より、エンジン等から発生する熱気を第２吸気ダクトが吸入しやすくなることが懸念される。このような比較例に比べると、上記実施形態のほうが優れていると言える。
【００９５】
この他、上記実施形態では、エアインテーク１１とエアガイド１２との相対位置関係について、図２および図６に示すように上から見たときに、エアインテーク１１の吸入口の開口端縁を、エアガイド１２においてエアインテーク寄りの壁面の延長線（Ｌに相当）上に配置させた例を挙げている。しかしながら、例えば図８の実線で示すように、エアインテーク１１の吸入口の開口端縁を、前記延長線Ｌの手前側へ離すようにオフセットして配置させることが可能であり、また、例えば図８の破線で示すように、エアインテーク１１の吸入口の開口端縁を、前記延長線Ｌを越えてエアガイド１２の中心側へ近づけるようにオフセットして配置させることも可能である。
【００９６】
ここで、図２および図６に示す状態をオフセットゼロ、図８の実線で示すオフセット状態をプラスオフセット、また、図８の破線で示すオフセット状態をマイナスオフセットとそれぞれ言うことにする。
【００９７】
ちなみに、マイナスオフセットを増やし過ぎると、エアガイド１２から放出される外気がエアインテーク１１の吸入口寄りの側面に衝突して渦流を発生する傾向となり、エアインテーク１１内に前述の異物が吸入されやすくなることが懸念される。
【００９８】
一方、プラスオフセットを増やし過ぎると、エアガイド１２から放出される外気が図８の二点鎖線で示すように広がる傾向となり、エアインテーク１１内に前述の異物が吸入されやすくなる他、エアインテーク１１にエンジンコンパートメント２内の熱気が吸入されやすくなり、エアクリーナボックス１０内への吸気温度が高くなりやすくなることが懸念される。
【００９９】
そこで、マイナスオフセットとプラスオフセットとの各最大値、つまりオフセットの許容範囲を調べているので、図９および図１０を参照して説明する。
【０１００】
まず、図９には、オフセットの量に対する雪の吸い込み量を示している。なお、図９の縦軸は、オフセットゼロにおけるエアインテーク１１への雪の吸い込み量を示している。図９の横軸は、オフセットの量で、プラスオフセットは正の値となり、マイナスオフセットは負の値となる。
【０１０１】
この図９に示す関係を調べるにあたっては、車両１を実際に走行させずに実験室において吹雪中の走行を模擬する条件で実験した。この条件としては、例えばエアガイド１２の排出口の幅寸法を１００ｍｍ、エアガイド１２の排出口の高さ寸法を２５ｍｍ、エアインテーク１１の吸入口の幅寸法を１２０ｍｍ、エアインテーク１１の吸入口の高さ寸法を２５ｍｍとし、車両１外側の環境（実験室）温度を−５℃、走行速度を平均６０ｋｍ／ｈ、降雪量を２０ｇ／ｍｉｎに設定している。
【０１０２】
結果としては、図９に示しているように、−２０ｍｍ〜３０ｍｍの範囲では、オフセットゼロの場合に比べても遜色のないことが判る。このことから、マイナスオフセットの最大値を−２０ｍｍに、また、プラスオフセットの最大値を３０ｍｍにそれぞれ特定するのが最適であると言える。
【０１０３】
但し、雪の吸い込み量が所定の閾値α以下になるときのオフセット量を調べた結果、図９に示しているように、−３０ｍｍ〜５０ｍｍの範囲になった。前記の閾値αは、エアクリーナボックス１０内に収納されるエアフィルタ（図示省略）の目詰まりのしやすさを考慮して設定されるもので、例えば１０ｇ／ｍｉｎに設定される。この数値は、エアフィルムの目詰まりを抑制するのに適した値であり、余裕を持たせた値にしている。
【０１０４】
次に、図１０には、オフセットの量に対するエアクリーナボックス入口の吸気温度の上昇傾向を示している。なお、図１０の縦軸は、外気温度を基準にして、オフセットの変化に伴うエアクリーナボックス１０の入口における吸気温度の昇温量を示している。前記外気温度とは、一般的に車両１外側の雰囲気温度のことである。ここではマイナスオフセットに関して調べていない。というのは、そもそもオフセットをマイナス側にすると、エアガイド１２から排出される外気流によってエンジン３等から発生する熱気を吸入しにくくなるからである。
【０１０５】
この図１０に示す関係を調べるにあたっては、車両１を実際に走行させずに実験室において走行状況を模擬する条件で実験した。この条件としては、例えばエアガイド１２の排出口の幅寸法を１００ｍｍ、エアガイド１２の排出口の高さ寸法を２５ｍｍ、エアインテーク１１の吸入口の幅寸法を１２０ｍｍ、エアインテーク１１の吸入口の高さ寸法を２５ｍｍとし、外気温度（実験室の室内温度）を３０℃、走行速度を平均３０ｋｍ／ｈに設定している。
【０１０６】
結果としては、図１０に示しているように、プラスオフセットを大きくするに従いエアクリーナボックス１０の入口の吸気温度が高くなる。特に、プラスオフセットの量が５０ｍｍを起点にして増えると、エアクリーナボックス１０の入口の吸気温度の昇温量が急峻に増加し始めていることが判る。この知見からも、プラスオフセットの最大値を５０ｍｍに特定することができる。
【０１０７】
以上の結果に基づき総合的に判断すると、オフセットの許容範囲としては、−３０ｍｍ〜５０ｍｍ、好ましくは、−２０ｍｍ〜３０ｍｍの範囲で適宜に設定することが適切であると考えるに至った。
【産業上の利用可能性】
【０１０８】
本発明は、上述した実施形態のみに限定されるものではなく、特許請求の範囲内および当該範囲と均等の範囲で包含されるすべての変形や応用が可能である。以下でいくつかの例を挙げる。【０１０９】
（１）上記実施形態において、エアインテーク１１やエアガイド１２の姿勢は、前記した交差角度βを保った状態で変更することが可能である。【０１１０】
例えば図１１に示すように、エアインテーク１１の姿勢を図６に示す実施形態の場合と同じにしたまま、車両の左右方向の中心に沿う線Ｐに対するエアガイド１２の姿勢を図６に示す実施形態の場合よりも大きく傾けることにより、流線Ｙに対する外気吸入方向Ｘの交差角度βを図６に示す実施形態の場合よりも大きく設定することが可能である。また、例えば図１２に示すように、エアガイド１２の姿勢を図６に示す実施形態の場合と同じにしたまま、エアインテーク１１の車両外側の端部を車両の後ろ側にずらすようにエアインテーク１１の姿勢を変更することにより、流線Ｙに対する外気吸入方向Ｘの交差角度βを図６に示す実施形態の場合よりも大きく設定することが可能である。【０１１１】
（２）上記実施形態では、エアガイド１２の下壁１２ｃに切り欠き１２ｄを設けることによって、エアクリーナボックス１０の前面１０ｂの前方に水切り空間１４（図１および図５に記載）を確保した例を挙げているが、本発明はこれに限定されるものでない。【０１１２】
具体的に、例えば図１３に示すように、エアガイド１２に切り欠き１２ｄを設けずに、このエアガイド１２の排出口を、エアクリーナボックス１０の前面１０ｂから遠ざけるように配置させることにより、エアガイド１２の排出口をエアクリーナボックス１０との上面１０ａの位置から可及的に低くしたうえで、水切り空間１４を確保することが可能である。【０１１３】
エアガイド１２の排出口からエアクリーナボックス１０の前面１０ｂまでの離隔寸法Ｌｎについては、例えば図１４に示すように、エアガイド１２の排出口から放出される水の塊や大粒水を、エアクリーナボックス１０の前面１０ｂに衝突させて水切り空間１４に落とすことを可能とするように、適宜に設定される。【０１１４】
このようにすれば、エアガイド１２に流入した水の塊や大粒水は、エアガイド１２の排出口から放出された後、エアクリーナボックス１０の前面１０ｂに衝突することになって、水切り空間１４へ落とされるようになる。そのため、エアインテーク１１に水分が入ることを防止できるようになる。【０１１５】
（３）上記実施形態において、エアガイド１２の通路断面積は、吸入口側から排出口側へ向けて漸次小さくするように設定することもできる。その場合、エアガイド１２の吸入口に流入する外気を絞り作用により加速して排出口から勢いよく放出させることが可能になる。【０１１６】
（４）上記実施形態において、エアガイド１２における外気の流線Ｙは、車両１の左右方向の中心線Ｐ（図２および図５に記載）と平行に配置することも可能である。【０１１７】
（５）上記実施形態では、エアクリーナボックス１０の上面１０ａと、エアガイド１２の後半領域１２ｂとを、エンジンフード７のフードインナー７ａの傾斜角度と略同一の角度で傾斜させた例を挙げているが、エアガイド１２の後半領域１２ｂは、必ずしも、エンジンフード７のフードインナー７ａの傾斜角度と同一とする必要はない。
【符号の説明】
【０１１８】
１      車両
２      エンジンコンパートメント
３      エンジン
７      エンジンフード
７ａ    フードインナー
８      フロントバンパー
９      開口部
１０      エアクリーナボックス
１０ａ    エアクリーナボックスの上面
１０ｂ    エアクリーナボックスの前面
１１      エアインテーク
１２      エアガイド
１２ｂ    エアガイドの後半領域
１２ｃ    エアガイドの下壁
１２ｄ    エアガイドの下壁の切り欠き
１３      エアクリーナボックスの上面とフードインナーとの対向空間
Ｘ      エアインテークの外気吸入方向
Ｙ      エアガイドの外気の流線
Ｗ      エアガイドからの外気流の進行領域
Ｌ      エアガイドにおけるエアインテーク寄りの壁面の延長線
【図１】
2010004889.tif 000003
【図２】
2010004889.tif 000004
【図３】
2010004889.tif 000005
【図４】
2010004889.tif 000006
【図５】
2010004889.tif 000007
【図６】
2010004889.tif 000008
【図７】
2010004889.tif 000009
【図８】
2010004889.tif 000010
【図９】
2010004889.tif 000011
【図１０】
2010004889.tif 000012
【図１１】
2010004889.tif 000013
【図１２】
2010004889.tif 000014
【図１３】
2010004889.tif 000015
【図１４】
2010004889.tif 000016
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
車両前部のエンジンコンパートメント内において前傾形状のエンジンフード寄りに配置されるエアクリーナボックスと、
吸入口が車両前端に前向きに開放するように配置されかつ排出口が前記エアクリーナボックスの上面手前に後向きに開放するように配置されるエアガイドと、
吸入口が前記エアクリーナボックスの上面上で前記エアガイドの排出口近傍に離隔配置されかつ下流側が前記エアクリーナボックスに連結されるエアインテークとを有し、
前記エアクリーナボックスの上面は、前記エンジンフードの内面と略平行に対向するような前傾形状とされ、
前記エアクリーナボックスの前傾形状の上面とエンジンフードの内面との対向空間の鉛直方向に沿う間隔は、前記エアガイドの排出口の鉛直方向に沿う間隔と略同じに設定されており、
前記エアガイドから放出される外気の流線に対して前記エアインテークの外気吸入方向が交差するように設定され、かつ、エアインテーク吸入方向は、前記エアクリーナボックス上面に平行とされている、ことを特徴とする車両の吸気構造。
【請求項２】
車両前部のエンジンコンパートメント内において前傾形状のエンジンフード寄りに配置されるエアクリーナボックスと、
吸入口が車両前端に前向きに開放するように配置されかつ排出口が前記エアクリーナボックスの上面手前に後向きに開放するように配置されるエアガイドと、
吸入口が前記エアクリーナボックスの上面上で前記エアガイドの排出口近傍に離隔配置されかつ下流側が前記エアクリーナボックスに連結されるエアインテークとを有し、
前記エアクリーナボックスの上面は、前記エンジンフードの内面と略平行に対向するような前傾形状とされ、
前記エアガイドから放出される外気の流線に対して前記エアインテークの外気吸入方向が交差するように設定され、
前記エアガイドの下壁の排出口側に、前記エアクリーナボックスにおいて前向きの面からの離隔距離を大きくするための切り欠きが設けられている、ことを特徴とする車両の吸気構造。
【請求項３】
請求項２に記載の車両の吸気構造において、
前記エアクリーナボックスの前傾形状の上面とエンジンフードの内面との対向空間の鉛直方向に沿う間隔は、前記エアガイドの排出口の鉛直方向に沿う間隔と略同じに設定される、ことを特徴とする車両の吸気構造。
【請求項４】
請求項２または３に記載の車両の吸気構造において、
前記エアインテークの吸入口は、前記エアガイドから放出される外気流の進行領域の近傍に配置される、ことを特徴とする車両の吸気構造。
【請求項５】
請求項２から４のいずれか一つに記載の車両の吸気構造において、
前記エアガイドの排出口とエアインテークの吸入口との離隔空間の下方には、前記エンジンやそれに付設される部品から発する熱気の上昇を遮る遮蔽部材が設けられる、ことを特徴とする車両の吸気構造。
【請求項６】
請求項２から５のいずれか一つに記載の車両の吸気構造において、
当該吸気構造を平面的に見て、前記エアインテークの吸入口の開口端縁が、前記エアガイドにおけるエアインテーク寄りの壁面の延長線上に配置される状態をオフセットゼロとし、また、前記開口端縁が前記延長線の手前側へ離される状態をプラスオフセットとし、さらに、前記開口端縁が前記延長線を越えてエアガイドの中心側へ近づけられる状態をマイナスオフセットとすると、
前記オフセットが、−３０ｍｍ〜５０ｍｍの範囲内で設定される、ことを特徴とする車両の吸気構造。
【手続補正２】
【補正対象書類名】明細書
【補正対象項目名】０００４
【補正方法】変更
【補正の内容】
【０００４】
い。
［００２０］
このような事情に鑑み、本発明は、車両前端からエアクリーナボックスまでの吸気通路を途中で分離して、エアクリーナボックスへの直接的な異物流入や吸気騒音の発生を低減する吸気構造を前提とし、前記従来例の課題を解消することを目的としている。
課題を解決するための手段
［００２１］
本発明に係る車両の吸気構造は、車両前部のエンジンコンパートメント内において前傾形状のエンジンフード寄りに配置されるエアクリーナボックスと、吸入口が車両前端に前向きに開放するように配置されかつ排出口が前記エアクリーナボックスの上面手前に後向きに開放するように配置されるエアガイドと、吸入口が前記エアクリーナボックスの上面上で前記エアガイドの排出口近傍に離隔配置されかつ下流側が前記エアクリーナボックスに連結されるエアインテークとを有し、前記エアクリーナボックスの上面は、前記エンジンフードの内面と略平行に対向するような前傾形状とされ、前記エアクリーナボックスの前傾形状の上面とエンジンフードの内面との対向空間の鉛直方向に沿う間隔は、前記エアガイドの排出口の鉛直方向に沿う間隔と略同じに設定されており、前記エアガイドから放出される外気の流線に対して前記エアインテークの外気吸入方向が交差するように設定され、かつ、エアインテーク吸入方向は、前記エアクリーナボックス上面に平行とされている、ことを特徴としている。
［００２２］
本発明は、要するに、車両前端からエアクリーナボックスまでの吸気通路として、別体であるエアガイドとエアインテークとを用いることによって、前記吸気通路を途中で分離する形態の吸気構造を前提としているから、エアクリーナボックスへの直接的な異物（水、雪、塵埃等）混入や吸気騒音の発生を低減することが可能になっている。
［００２３］
このような前提において前記の特徴を有する構成にすれば、エアガイドの排出口から放出される外気が、エアクリーナボックスの前傾形状の上面とエンジンフードの内面との対向空間を通って車両後方へ流れるようになるが、この対向空間を通る走行風は、エンジンで発生する負圧によってエアインテ
【手続補正３】
【補正対象書類名】明細書
【補正対象項目名】０００５
【補正方法】変更
【補正の内容】
【０００５】
ークの吸入口から吸引されて、エアクリーナボックスに取り込まれる。
［００２４］
そして、本発明では、エアガイドの排出口を、エアクリーナボックスの前傾形状の上面とエンジンフードの内面との対向空間に、あたかも直線的に連通させるようにしていて、特許文献３に係る従来例のように、第１吸気ダクト（エアガイドに相当）の排出口を大空間に開放するような形態にしていない。
［００２５］
このような本発明の構成では、エアガイドの排出口から放出される外気が、前記対向空間を通過するときに流速が遅くならずに維持されやすくなるので、特許文献３に係る従来例のように、第１吸気ダクト（エアガイドに相当）から放出される外気がその近傍に滞留するということが起きにくくなる。本発明では、エアガイドから放出される外気の流線に対してエアインテークの外気吸入方向を交差させるようにエアガイドとエアインテークとの配置関係を特定しており、前記理由によりエアガイドから放出される外気に含まれる異物がエアインテークの吸入口から速やかに遠ざけられるように送出されるので、当該外気に含まれる異物がエアインテークに吸入されにくくなる。
［００２６］
これにより、エアクリーナボックスへの異物吸入を可及的に回避しながら、比較的低温の外気を効率よく導入することが可能になるので、エンジンの出力向上ならびにフィルタの長寿命化を図るうえで有利となる。しかも、エアガイドから放出される外気を方向転換させて異物を除去する必要がないので、前記方向転換用の部品が不要である。
［００２７］
本発明に係る車両の吸気構造は、車両前部のエンジンコンパートメント内において前傾形状のエンジンフード寄りに配置されるエアクリーナボックスと、吸入口が車両前端に前向きに開放するように配置されかつ排出口が前記エアクリーナボックスの上面手前に後向きに開放するように配置されるエアガイドと、吸入口が前記エアクリーナボックスの上面上で前記エアガイドの排出口近傍に離隔配置されかつ下流側が前記エアクリーナボックスに連結されるエアインテークとを有し、前記エアクリーナボックスの上面は、前記エンジンフードの内面と略平行に対向するような前傾形状とされ、前記エアガイドから放出される外気の流線に対して前記エアインテークの外気吸入方向
【国際調査報告】
2010004889.tif 000017
2010004889.tif 000018
2010004889.tif 000019
2010004889.tif 000020